(57)【要約】【課題】本発明は、個々の患者に対する診療時間を有効に利用して実質的な診療を充実させることが出来、医師の医療行為を漏れなく電子カルテに入力して処置項目の算定漏れを防止することが出来る診療支援システムを提供することを可能にすることを目的としている。【解決手段】医師Ｂが操作し得るキーボード２とマウス３、及びクラークＣが操作し得るキーボード５とマウス６による入力状況を、医師Ｂのディスプレイ４及びクラークＣのディスプレイ７に連動して表示するように構成したことを特徴とする。【選択図】　　　図１
2004062484.tif 000002
【特許請求の範囲】
【請求項１】
患者と医師とクラークとが臨席して診療を行う際の診療支援システムであって、
医師が操作し得る第１の入力手段と、
医師が視認し得る第１の表示手段と、
クラークが操作し得る第２の入力手段と、
クラークが視認し得る第２の表示手段と、
前記第１、第２の入力手段により入力された診療情報を記憶する診療情報データベースと、
前記第１、第２の入力手段による入力状況を、前記第１及び第２の表示手段に連動して表示する制御手段と、
を有することを特徴とする診療支援システム。
【発明の詳細な説明】
【０００１】
【発明の属する技術分野】
本発明は、患者と医師とクラークとが臨席して診療を行う際の診療支援システムに関するものである。
【０００２】
【従来の技術】
近年、医療機関においては、従来の紙のカルテに代えてコンピュータシステムを利用した電子カルテの導入が進められており、医療事務作業の効率化や迅速化を図ることで、患者の待ち時間の短縮が出来、個々の患者に対する実質的な診療時間を確保して充実した診療が提供されつつある。
【０００３】
例えば、眼科診療においては、患者と医師との間に眼の検査を行う眼科診療機器が配置され、医師の机上に置かれたパーソナルコンピュータ（以下、「パソコン」という）に接続されたキーボードやマウス等を利用して電子カルテを作成するのが一般であった。
【０００４】
【発明が解決しようとする課題】
しかしながら、前述の従来例では、医師が患者に対面して眼科診療機器等を利用して患者の眼を診療する一方で、その医師の机上に置かれたパソコンを利用して電子カルテを作成するという作業を行う必要があり、▲１▼患者に対面しつつ電子カルテの入力作業を行うため患者にしてみれば、せっかくの診療時間に医師が下を向いている時間の方が多いという不満感が多くなり、▲２▼医師が医療行為をもれなく電子カルテに入力する必要があるため電子カルテの入力作業に時間がかかり、処置項目の算定漏れが発生し易いという問題があった。
【０００５】
本発明は前記課題を解決するものであり、その目的とするところは、個々の患者に対する診療時間を有効に利用して実質的な診療を充実させることが出来、医師の医療行為を漏れなく電子カルテに入力して処置項目の算定漏れを防止することが出来る診療支援システムを提供せんとするものである。
【０００６】
【課題を解決するための手段】
前記目的を達成するための本発明に係る診療支援システムは、患者と医師とクラークとが臨席して診療を行う際の診療支援システムであって、医師が操作し得る第１の入力手段と、医師が視認し得る第１の表示手段と、クラークが操作し得る第２の入力手段と、クラークが視認し得る第２の表示手段と、前記第１、第２の入力手段により入力された診療情報を記憶する診療情報データベースと、前記第１、第２の入力手段による入力状況を、前記第１及び第２の表示手段に連動して表示する制御手段とを有することを特徴とする。
【０００７】
本発明は、上述の如く構成したので、医師の医療行為をクラーク（医療秘書）が観察しながら第２の入力手段により電子カルテに処置項目を入力することが出来、制御手段によって第２の入力手段による入力状況が連動して表示される第１の表示手段により、その内容を医師が視認することが出来る。
【０００８】
また、医師とクラークとの間で、入力状況が連動して表示される第１及び第２の表示手段を夫々同時に視認しながら夫々の第１、第２の入力手段を用いて会話形式で指示することが出来る。
【０００９】
【発明の実施の形態】
図により本発明に係る診療支援システムの一例として眼科診療に適用した場合の一実施形態を具体的に説明する。図１は本発明に係る診療支援システムを眼科診療に適用した様子を示す患者と医師とクラークの配置構成を示す図、図２は本発明に係る診療支援システムの制御系の構成を示すブロック図である。
【００１０】
本発明は、図１に示すように、患者Ａと、医師Ｂと、クラーク（医療秘書）Ｃとが一同に臨席して診療を行う際の診療支援システムである。ここで、３者が臨席するとは、患者Ａと医師ＢとクラークＣとが図１に示すように同じ診療室内に同席しても良いし、例えば、クラークＣが別室でガラス越しに診療の様子を観察したり、或いはモニタ、カメラ、マイク、スピーカ等を介して別室で診療の様子を観察する場合も含まれる。
【００１１】
本実施形態では、図１に示すように、対面する患者Ａと医師Ｂとの間に眼科診療機器１が配置されており、該眼科診療機器１の一方から患者Ａが覗き、他方から医師Ｂが覗くか、或いは種々の操作を行うことで患者Ａの眼の診療が出来るようになっている。
【００１２】
医師Ｂの机上には、該医師Ｂが操作し得る第１の入力手段となるキーボード２及びマウス３と、該医師Ｂが視認し得る第１の表示手段となるディスプレイ４とが設置されている。
【００１３】
クラークＣは医師Ｂが患者Ａに施す医療行為を視認出来る位置にあって、本実施形態では、患者Ａと医師ＢとクラークＣとが略正三角形で結ばれる位置に各座席が配置されている。クラークＣの机上には、該クラークＣが操作し得る第２の入力手段となるキーボード５及びマウス６と、該クラークＣが視認し得る第２の表示手段となるディスプレイ７とが設置されている。
【００１４】
第１の入力手段となるキーボード２とマウス３、及び第２の入力手段となるキーボード５とマウス６を利用して電子カルテに入力された診療情報は、図２に示すコンピュータ８の制御手段となるＣＰＵ（中央演算装置）を介して診療情報データベース９に記憶して格納される。
【００１５】
コンピュータ８にはインターフェースを介して、医師Ｂ側のキーボード２が標準接続端子に接続され、マウス３がＵＳＢ接続端子に接続され、ディスプレイ４が標準接続端子に接続される。また、クラークＣ側のキーボード５及びマウス３がＵＳＢ接続端子に接続され、ディスプレイ７が外部ポート接続端子に接続される。
【００１６】
このような接続によりコンピュータ８の制御手段となるＣＰＵにより第１、第２の入力手段となるキーボード２，５及びマウス３，６による入力状況を、第１及び第２の表示手段となるディスプレイ４，７に連動して表示することが出来るようになっている。
【００１７】
図１では、クラークＣのディスプレイ７に表示された画面と同じ画面が医師Ｂのディスプレイ４に表示され、更にクラークＣがマウス６を操作して移動したディスプレイ７上のマウスポインタの軌跡と同様に、医師Ｂのディスプレイ４上でもマウスポインタが連動して移動して同じ軌跡を描く様子を示す。
【００１８】
上記構成によれば、医師Ｂの医療行為をクラークＣが観察しながら第２の入力手段となるキーボード５やマウス６により電子カルテに処置項目を入力することが出来、制御手段となるコンピュータ８のＣＰＵによって第２の入力手段となるキーボード５やマウス６による入力状況が連動して表示される第１の表示手段となるディスプレイ４により、その内容を医師Ｂが視認することが出来る。また、逆に医師Ｂがキーボード２やマウス３を利用して電子カルテに入力する状況をクラークＣがディスプレイ７により視認することも出来る。
【００１９】
また、医師ＢとクラークＣとの間で、入力状況が連動して表示される第１及び第２の表示手段となるディスプレイ４，７を夫々同時に視認しながら夫々の第１、第２の入力手段となるマウス３，６やキーボード２，５を用いて会話形式で指示したり確認することが出来る。
【００２０】
これにより、個々の患者Ａに対する診療時間を有効に利用して実質的な診療を充実させることが出来、医師Ｂの医療行為を漏れなく電子カルテに入力して処置項目の算定漏れを防止することが出来る。
【００２１】
【発明の効果】
本発明は、上述の如き構成と作用とを有するので、医師の医療行為をクラークが観察しながら第２の入力手段により電子カルテに処置項目を入力することが出来、制御手段によって第２の入力手段による入力状況が連動して表示される第１の表示手段により、その内容を医師が視認することが出来る。
【００２２】
また、医師とクラークとの間で、入力状況が連動して表示される第１及び第２の表示手段を夫々同時に視認しながら夫々の第１、第２の入力手段を用いて会話形式で指示することが出来る。
【００２３】
従って、個々の患者に対する診療時間を有効に利用して実質的な診療を充実させることが出来、医師の医療行為を漏れなく電子カルテに入力して処置項目の算定漏れを防止することが出来る。
【図面の簡単な説明】
【図１】本発明に係る診療支援システムを眼科診療に適用した様子を示す患者と医師とクラークの配置構成を示す図である。
【図２】本発明に係る診療支援システムの制御系の構成を示すブロック図である。
【符号の説明】
Ａ…患者
Ｂ…医師
Ｃ…クラーク
１…眼科診療機器
２…キーボード
３…マウス
４…ディスプレイ
５…キーボード
６…マウス
７…ディスプレイ
８…コンピュータ
９…診療情報データベース
【図１】
2004062484.tif 000003
【図２】
2004062484.tif 000004